(57)【要約】【課題】パーソナルコンピュータを使用し、専門的なＯＳ言語や操作能力を必要せず、被監視機種に拡張性があり、遠隔地から被監視装置の監視制御、運用、設定等が可能で、安価な監視制御システム、情報処理端末装置、監視制御方法及びプログラムを提供する。【解決手段】１台のパーソナルコンピュータに、ＳＮＭＭＰマネージャ、ＳＮＭＰメディエータ、ＳＮＭＰソフトウェアポート変換機能、アプリケーション起動機能、ローカルクラフトターミナルの組み合わせを搭載し、被監視装置とＬＡＮ接続し、被監視装置にログインすることで、被監視装置の監視制御、運用、設定等を行う。【選択図】図１
2008269092.tif 000002
【特許請求の範囲】
【請求項１】
少なくとも１以上の被監視装置と、該被監視装置を監視する監視制御装置とがネットワークを介して接続され、ＳＮＭＰプロトコルを用いて前記被監視装置の監視制御、運用、設定を行う監視制御システムであって、
前記監視制御装置は、
アラームが発生した被監視装置からアラーム信号を受信し、該アラーム信号をＳＮＭＰアラーム信号に変換するＳＮＭＰメディエータと、
前記ＳＮＭＰメディエータ又はアラームが発生した被監視装置からＳＮＭＰアラーム信号を受信し、該ＳＮＭＰアラーム信号の宛先のソフトウェアポートが、他の被監視装置による占有のため受信不可能である場合、該ＳＮＭＰアラーム信号を受信可能な空ポートを決定し、該空ポートを使用して該ＳＮＭＰアラーム信号を前記ＳＮＭＰマネージャに送信するＳＮＭＰソフトウェアポート変換機能と、
前記ＳＮＭＰソフトウェアポート変換機能から前記ＳＮＭＰアラーム信号を受信し、該ＳＮＭＰアラーム信号に基づいて前記アラームの表示を行うＳＮＭＰマネージャと、
前記被監視装置毎に対応して設けられ、対応する被監視装置にログインし、該被監視装置の監視制御、運用、設定が可能なアプリケーションソフトウェアである少なくとも１以上のローカルクラフトターミナルと、
所定の被監視装置を指定する操作が行われた場合に、該被監視装置に対応するローカルクラフトターミナルを起動するアプリケーション起動機能と、
を有することを特徴とする監視制御システム。
【請求項２】
前記被監視装置は、前記ＳＮＭＰアラーム信号を送出する機能を備えている場合には、前記ＳＮＭＰアラーム信号を前記ＳＮＭＰソフトウェアポート変換機能に直接送信し、前記ＳＮＭＰアラーム信号を送出する機能を備えていない場合には、前記アラーム信号を前記ＳＮＭＰメディエータに送信することを特徴とする請求項１記載の監視制御システム。
【請求項３】
前記ＳＮＭＰアラーム信号には、前記被監視装置で発生したアラームのカテゴリ及び名称が含まれ、
前記ＳＮＭＰマネージャは、前記ＳＮＭＰアラーム信号を受信した場合、該ＳＮＭＰアラーム信号に基づいて前記被監視装置で発生したアラームのカテゴリ及び名称を表示することを特徴とする請求項１又は２記載の監視制御システム。
【請求項４】
前記ＳＮＭＰマネージャは、前記ネットワーク上の装置の接続関係を示すネットワーク図を表示した上で、前記アラームが発生した被監視装置をアイコンで表示し、前記発生したアラームのカテゴリに応じて該被監視装置のアイコンの色を変化させて表示することを特徴とする請求項１から３のいずれか１項に記載の監視制御システム。
【請求項５】
請求項１から４のいずれか１項に記載の監視制御システムにおいて監視制御装置として用いられることを特徴とする情報処理端末装置。
【請求項６】
ＳＮＭＰプロトコルを用いて、ネットワーク上に配置された少なくとも１以上の被監視装置の監視制御、運用、設定を行う監視制御方法であって、
前記被監視装置でアラームが発生した場合、
前記アラームが発生した被監視装置から直接ＳＮＭＰアラーム信号を受信するか、又は、前記アラームが発生した被監視装置からアラーム信号を受信し、該アラーム信号をＳＮＭＰアラーム信号に変換するかを行うＳＮＭＰアラーム信号取得ステップと、
前記ＳＮＭＰアラーム信号の宛先のソフトウェアポートが、他の被監視装置による占有のため受信不可能である場合、該ＳＮＭＰアラーム信号を受信可能な空ポートを決定し、該空ポートに該ＳＮＭＰアラーム信号を受信させるＳＮＭＰソフトウェアポート変換ステップと、
前記ＳＮＭＰアラーム信号に基づいて前記アラームの表示を行うアラーム表示ステップと、
所定の被監視装置を指定する操作が行われた場合に、該被監視装置に対応するローカルクラフトターミナルを起動するアプリケーション起動ステップと、
前記ローカルクラフトターミナルにより、前記被監視装置にログインし、該被監視装置の監視制御、運用、設定を行う被監視装置制御ステップと、
を有することを特徴とする監視制御方法。
【請求項７】
前記ＳＮＭＰアラーム信号には、前記被監視装置で発生したアラームのカテゴリ及び名称が含まれ、
前記アラーム表示ステップでは、前記ＳＮＭＰアラーム信号に基づいて前記被監視装置で発生したアラームのカテゴリ及び名称を表示することを特徴とする請求項６記載の監視制御方法。
【請求項８】
前記アラーム表示ステップでは、前記ネットワーク上に配置された装置の接続関係を示すネットワーク図を表示した上で、前記アラームが発生した被監視装置をアイコンで表示し、前記発生したアラームのカテゴリに応じて該被監視装置のアイコンの色を変化させて表示することを特徴とする請求項６又は７記載の監視制御方法。
【請求項９】
ＳＮＭＰプロトコルを用いて、ネットワーク上に配置された少なくとも１以上の被監視装置の監視制御、運用、設定を行うためのプログラムであって、
前記被監視装置でアラームが発生した場合、
前記アラームが発生した被監視装置から直接ＳＮＭＰアラーム信号を受信するか、又は、前記アラームが発生した被監視装置からアラーム信号を受信し、該アラーム信号をＳＮＭＰアラーム信号に変換するかを行うＳＮＭＰアラーム信号取得処理と、
前記ＳＮＭＰアラーム信号の宛先のソフトウェアポートが、他の被監視装置による占有のため受信不可能である場合、該ＳＮＭＰアラーム信号を受信可能な空ポートを決定し、該空ポートに該ＳＮＭＰアラーム信号を受信させるＳＮＭＰソフトウェアポート変換処理と、
前記ＳＮＭＰアラーム信号に基づいて前記アラームの表示を行うアラーム表示処理と、
所定の被監視装置を指定する操作が行われた場合に、該被監視装置に対応するローカルクラフトターミナルを起動するアプリケーション起動処理と、
前記ローカルクラフトターミナルにより、前記被監視装置にログインし、該被監視装置の監視制御、運用、設定を行う被監視装置制御処理と、
をコンピュータに実行させることを特徴とするプログラム。
【請求項１０】
前記ＳＮＭＰアラーム信号には、前記被監視装置で発生したアラームのカテゴリ及び名称が含まれ、
前記アラーム表示処理として、前記ＳＮＭＰアラーム信号に基づいて前記被監視装置で発生したアラームのカテゴリ及び名称を表示する処理をコンピュータに実行させることを特徴とする請求項９記載のプログラム。
【請求項１１】
前記アラーム表示処理として、前記ネットワーク上に配置された装置の接続関係を示すネットワーク図を表示した上で、前記アラームが発生した被監視装置をアイコンで表示し、前記発生したアラームのカテゴリに応じて該被監視装置のアイコンの色を変化させて表示する処理をコンピュータに実行させることを特徴とする請求項９又は１０記載のプログラム。
【発明の詳細な説明】
【技術分野】
【０００１】
本発明は、ＳＮＭＰプロトコルを用いてネットワーク上の被監視装置に対し、監視、運用、設置を行う監視制御システム、情報処理端末装置、監視制御方法及びプログラムに関する。
【背景技術】
【０００２】
ＩＴＵ−Ｔ勧告のＭ３０００、Ｍ３０１０、Ｍ３０２０で標準化された、従来の監視制御システムには以下のような問題点がある。
【０００３】
第１の問題点は、従来の監視制御システムは、ワークステーションやＵＮＩＸ（登録商標）等、高額で専門知識必要とする機器（装置）やＯＳ（Operating System）を使用していた。その理由は、ワークステーションの方が、一般的なパーソナルコンピュータ（Personal Computer）よりもコンピュータの信頼性が高いとされたことと、通信機のアラーム信号が、一般的にＵＮＩＸ（登録商標）、Ｑ３等のプロトコルを使用し、ＳＮＭＰ（Simple Network Management Protocol）のプロトコルを使用していなかったからである。よって、従来の監視制御システムは、高額で、操作に専門性が要求され、難易度の高く大規模な開発が必要であった。
【０００４】
第２の問題点は、ローカルクラフトターミナル（Local Craft Terminal）は、機器の設置された局舎で、ケーブルにより直接機器に接続され使用していた。その理由は、従来の機器は、標準化された機器固有のアドレスを持っておらず、ＩＰアドレス（Internet Protocol address）等により、遠隔地からローカルクラフトターミナルにより、個々の装置にログインできなかったからである。
このような監視制御システムの例を図３に示す。図３に示す例では、被監視装置であるＡ装置１０及びＢ装置１３は、ケーブル１５及び１６によってそれぞれローカルクラフトターミナル１２及び１１４と接続されている。このような構成の場合、ローカルクラフトターミナルが物理的に接続された被監視装置に対しては、監視制御、運用、設定等が可能となるが、遠隔地の被監視装置に対してはログインが不可能であった。
【０００５】
第３の問題点は、機器のアラーム信号をＳＮＭＰアラーム信号に変換する機能を監視制御システムが持っていなかったことである。その理由は、マネージャソフトとして、ＳＮＭＰマネージャ（SNMP Manager）が使用されていなかった為である。
【０００６】
第４の問題点は、被監視装置の種類が追加されると、従来の監視制御システムは、監視制御ソフト自体に大規模な機能の追加が必要であったことである。その理由は、従来は、ローカルクラフトターミナルは単体で使用され、監視制御システム内の１モジュールとして使用されることがなかった為である。
【０００７】
第５の問題点は、ＳＮＭＰマネージャが単体で使用され、被監視装置のアラーム状態だけは表示できたが、被監視装置の、制御運用、設定変更等の操作ができなかったことである。その理由は、ＳＮＭＰマネージャと、ローカルクラフトターミナルを１台のパーソナルコンピュータに搭載し、相互接続して使用する機能がなかったためである。
このような監視制御システムの例を図４に示す。図４に示す例では、ＳＮＭＰマネージャ２１と、Ａ装置２２及びＣ装置２３とがＬＡＮ２４を介して接続され、ＳＮＭＰマネージャ２１のみを使用し、アラーム表示のみが可能となっている。このような構成の場合、カテゴリ分けされたアラームの表示は可能であるが、装置の監視制御、運用、設定等は不可能であった。なお、この図４の例と同様の構成の従来例としては、特許文献１がある。
【０００８】
第６の問題点は、ある被監視装置が、監視制御設定等の目的で、一定時間継続的にＳＮＭＰマネージャの特定のソフトウェアポート（Software Port）を占有する必要がある場合、監視制御装置は、その占有を許し、かつ、占有を許している間も他の被監視装置からのＳＮＭＰトラップを継続的に受信し続ける。しかし、ＳＮＭＰマネージャは、特定のソフトウェアポートが占有されている間は、占有されたソフトウェアポート宛に他の被監視装置から送信されたＳＮＭＰトラップ（SNMP Trap）を受信できないため、ＳＮＭＰマネージャの情報が最新情報に更新されないという問題がある。
【特許文献１】特開２００４−０８６５２２号公報
【発明の開示】
【発明が解決しようとする課題】
【０００９】
本発明は、上記各問題点を鑑みてなされたものであり、パーソナルコンピュータ、ＳＮＭＰマネージャ、ローカルクラフトターミナルといった、廉価で、高度な専門知識を必要としないモジュールを組み合わせることにより、専門性を必要としない容易な操作ができ、かつ、経済的であり、かつ、被監視装置の種類の追加が容易にできて拡張性が高く、かつ、遠隔地から操作可能な監視制御システム、情報処理端末装置、監視制御方法及びプログラムを提供することを目的とする。
【課題を解決するための手段】
【００１０】
かかる目的を達成するために、請求項１記載の発明は、少なくとも１以上の被監視装置と、被監視装置を監視する監視制御装置とがネットワークを介して接続され、ＳＮＭＰプロトコルを用いて被監視装置の監視制御、運用、設定を行う監視制御システムであって、監視制御装置は、アラームが発生した被監視装置からアラーム信号を受信し、アラーム信号をＳＮＭＰアラーム信号に変換するＳＮＭＰメディエータと、ＳＮＭＰメディエータ又はアラームが発生した被監視装置からＳＮＭＰアラーム信号を受信し、ＳＮＭＰアラーム信号の宛先のソフトウェアポートが、他の被監視装置による占有のため受信不可能である場合、ＳＮＭＰアラーム信号を受信可能な空ポートを決定し、空ポートを使用してＳＮＭＰアラーム信号をＳＮＭＰマネージャに送信するＳＮＭＰソフトウェアポート変換機能と、ＳＮＭＰソフトウェアポート変換機能からＳＮＭＰアラーム信号を受信し、ＳＮＭＰアラーム信号に基づいてアラームの表示を行うＳＮＭＰマネージャと、被監視装置毎に対応して設けられ、対応する被監視装置にログインし、被監視装置の監視制御、運用、設定が可能なアプリケーションソフトウェアである少なくとも１以上のローカルクラフトターミナルと、所定の被監視装置を指定する操作が行われた場合に、被監視装置に対応するローカルクラフトターミナルを起動するアプリケーション起動機能と、を有することを特徴とする。
【００１１】
請求項２記載の発明は、請求項１記載の発明において、被監視装置は、ＳＮＭＰアラーム信号を送出する機能を備えている場合には、ＳＮＭＰアラーム信号をＳＮＭＰソフトウェアポート変換機能に直接送信し、ＳＮＭＰアラーム信号を送出する機能を備えていない場合には、アラーム信号をＳＮＭＰメディエータに送信することを特徴とする。
【００１２】
請求項３記載の発明は、請求項１又は２記載の発明において、ＳＮＭＰアラーム信号には、被監視装置で発生したアラームのカテゴリ及び名称が含まれ、ＳＮＭＰマネージャは、ＳＮＭＰアラーム信号を受信した場合、ＳＮＭＰアラーム信号に基づいて被監視装置で発生したアラームのカテゴリ及び名称を表示することを特徴とする。
【００１３】
請求項４記載の発明は、請求項１から３のいずれか１項に記載の発明において、ＳＮＭＰマネージャは、ネットワーク上の装置の接続関係を示すネットワーク図を表示した上で、アラームが発生した被監視装置をアイコンで表示し、発生したアラームのカテゴリに応じて被監視装置のアイコンの色を変化させて表示することを特徴とする。
【００１４】
請求項５記載の発明は、請求項１から４のいずれか１項に記載の監視制御システムにおいて監視制御装置として用いられることを特徴とする。
【００１５】
請求項６記載の発明は、ＳＮＭＰプロトコルを用いて、ネットワーク上に配置された少なくとも１以上の被監視装置の監視制御、運用、設定を行う監視制御方法であって、被監視装置でアラームが発生した場合、アラームが発生した被監視装置から直接ＳＮＭＰアラーム信号を受信するか、又は、アラームが発生した被監視装置からアラーム信号を受信し、アラーム信号をＳＮＭＰアラーム信号に変換するかを行うＳＮＭＰアラーム信号取得ステップと、ＳＮＭＰアラーム信号の宛先のソフトウェアポートが、他の被監視装置による占有のため受信不可能である場合、ＳＮＭＰアラーム信号を受信可能な空ポートを決定し、空ポートにＳＮＭＰアラーム信号を受信させるＳＮＭＰソフトウェアポート変換ステップと、ＳＮＭＰアラーム信号に基づいてアラームの表示を行うアラーム表示ステップと、所定の被監視装置を指定する操作が行われた場合に、被監視装置に対応するローカルクラフトターミナルを起動するアプリケーション起動ステップと、ローカルクラフトターミナルにより、被監視装置にログインし、被監視装置の監視制御、運用、設定を行う被監視装置制御ステップと、を有することを特徴とする。
【００１６】
請求項７記載の発明は、請求項６記載の発明において、ＳＮＭＰアラーム信号には、被監視装置で発生したアラームのカテゴリ及び名称が含まれ、アラーム表示ステップでは、ＳＮＭＰアラーム信号に基づいて被監視装置で発生したアラームのカテゴリ及び名称を表示することを特徴とする。
【００１７】
請求項８記載の発明は、請求項６又は７記載の発明において、アラーム表示ステップでは、ネットワーク上に配置された装置の接続関係を示すネットワーク図を表示した上で、アラームが発生した被監視装置をアイコンで表示し、発生したアラームのカテゴリに応じて被監視装置のアイコンの色を変化させて表示することを特徴とする。
【００１８】
請求項９記載の発明は、ＳＮＭＰプロトコルを用いて、ネットワーク上に配置された少なくとも１以上の被監視装置の監視制御、運用、設定を行うためのプログラムであって、被監視装置でアラームが発生した場合、アラームが発生した被監視装置から直接ＳＮＭＰアラーム信号を受信するか、又は、アラームが発生した被監視装置からアラーム信号を受信し、アラーム信号をＳＮＭＰアラーム信号に変換するかを行うＳＮＭＰアラーム信号取得処理と、ＳＮＭＰアラーム信号の宛先のソフトウェアポートが、他の被監視装置による占有のため受信不可能である場合、ＳＮＭＰアラーム信号を受信可能な空ポートを決定し、空ポートにＳＮＭＰアラーム信号を受信させるＳＮＭＰソフトウェアポート変換処理と、ＳＮＭＰアラーム信号に基づいてアラームの表示を行うアラーム表示処理と、所定の被監視装置を指定する操作が行われた場合に、被監視装置に対応するローカルクラフトターミナルを起動するアプリケーション起動処理と、ローカルクラフトターミナルにより、被監視装置にログインし、被監視装置の監視制御、運用、設定を行う被監視装置制御処理と、をコンピュータに実行させることを特徴とする。
【００１９】
請求項１０記載の発明は、請求項９記載の発明において、ＳＮＭＰアラーム信号には、被監視装置で発生したアラームのカテゴリ及び名称が含まれ、アラーム表示処理として、ＳＮＭＰアラーム信号に基づいて被監視装置で発生したアラームのカテゴリ及び名称を表示する処理をコンピュータに実行させることを特徴とする。
【００２０】
請求項１１記載の発明は、請求項９又は１０記載の発明において、アラーム表示処理として、ネットワーク上に配置された装置の接続関係を示すネットワーク図を表示した上で、アラームが発生した被監視装置をアイコンで表示し、発生したアラームのカテゴリに応じて被監視装置のアイコンの色を変化させて表示する処理をコンピュータに実行させることを特徴とする。
【発明の効果】
【００２１】
本発明によれば、専門性を必要としない容易な操作ができ、かつ、経済的であり、かつ、被監視装置の種類の追加が容易にできて拡張性が高く、かつ、遠隔地から操作可能な監視制御システム、情報処理端末装置、監視制御方法及びプログラムを実現することが可能となる。
【発明を実施するための最良の形態】
【００２２】
以下、本発明を実施するための最良の形態について添付図面を参照して詳細に説明する。
【００２３】
図１に、本発明の一実施形態として、監視制御システム及び監視制御装置の構成を示す。
図１に示すように、本実施形態の監視制御システムは、監視制御装置１と、Ａ装置８及びＢ装置とがＬＡＮ（Local Area Network）９を介して接続された構成となっている。Ｂ装置７及びＡ装置８は、遠隔地に設置され、監視制御装置１によって監視される被監視装置である。
【００２４】
図１において、監視制御装置（ネットワークマネージメントシステム：Network Management System）１は、１台のパーソナルコンピュータ（情報処理端末装置）である。この監視制御装置１は、図１に示すように、ＳＮＭＰマネージャ２、ＳＮＭＰメディエータ（SNMP Mediator）３、被監視装置用ローカルクラフトターミナル４，５、アプリケーション（Application）起動機能６を実装しており、これらを互いに連携して動作させることにより、上記従来の課題を解決する。
【００２５】
図１において、ＳＮＭＰマネージャ２は、アラーム（Alarm）が発生した被監視装置から送信されたＳＮＭＰアラーム信号、又は、アラームが発生した被監視装置から送信されたアラーム信号をＳＮＭＰメディエータ３が変換したＳＮＭＰアラーム信号を、ＳＮＭＰソフトウェアポート変換機能１７を介して受信する。そして、受信したＳＮＭＰアラーム信号に基づいて、監視制御装置１の画面に、アラーム名やアラームのカテゴリ等を表示する。
【００２６】
図１において、ＳＮＭＰメディエータ３は、ＳＮＭＰアラーム信号を送出できない被監視装置のアラーム信号をＳＮＭＰアラーム信号に変換する。
【００２７】
図１において、Ｂ装置用ローカルクラフトターミナル４は、遠隔地に設置された被監視装置であるＢ装置７にログインし、Ｂ装置７の制御運用、設定変更等を行う。このローカルクラフトターミナルは、本来、被監視装置と直接接続され、装置に必要な全ての監視制御、運用、設定が可能なアプリケーションソフトウェアであり、ローカルクラフトターミナル機能無しでは装置の監視制御、運用、設定が不可能な為、通常装置とともに設計される。
【００２８】
図１において、Ａ装置用ローカルクラフトターミナル５は、遠隔地に設置された被監視装置であるＡ装置８にログインし、Ａ装置８の制御運用、設定変更等を行う。ローカルクラフトターミナルは、本来、被監視装置と直接接続され、装置に必要な全ての監視制御、運用、設定が可能なアプリケーションソフトウェアであり、ローカルクラフトターミナル機能無しでは装置の監視制御、運用、設定が不可能な為、通常装置とともに設計される。
【００２９】
図１において、アプリケーション起動機能６は、監視制御装置１の運用担当者が、アラームが発生した被監視装置（又は、運用状態の調査を必要とする被監視装置）を調査する際に調査対象の装置を指定する操作を検知し、指定された装置のローカルクラフトターミナル４又は５を起動する機能を有する。
【００３０】
図１において、ＳＮＭＰソフトウェアポート（SNMP Software Port）変換機能１７は、アラーム（Alarm）が発生した被監視装置（ＳＮＭＰアラーム信号を送出する機能を備えている）から送信されたＳＮＭＰアラーム信号を直接受信する。あるいは、アラームが発生した被監視装置から送信されたアラーム信号をＳＮＭＰメディエータ３が変換したＳＮＭＰアラーム信号を受信する。そして、受信したＳＮＭＰアラーム信号の宛先がＳＮＭＰマネージャ２の受信可能なソフトウェアポートになっているかを確認し、確認の結果、宛先のソフトウェアポートが他の装置に占有されて受信が不可能な場合は、ＳＮＭＰアラーム信号を受信可能な空ポートを決定し、その空ポートを使用してＳＮＭＰアラーム信号をＳＮＭＰマネージャ２に送信する。監視制御装置は、ある被監視装置が、監視制御設定等の目的で、一定時間継続的にＳＮＭＰマネージャの特定のソフトウェアポートを占有した場合、その占有を許している間（そのソフトウェアポートが受信不可能となっている間）も他の被監視装置からのＳＮＭＰトラップを継続的に受信し続けるが、本実施形態では、ＳＮＭＰソフトウェアポート変換機能１７により、他の被監視装置に占有されて受信不可能となっているソフトウェアポート宛に送信されたＳＮＭＰトラップを、受信可能な空ポートを通してＳＮＭＰマネージャに受信させることができる。
【００３１】
以上、詳細に本実施形態の監視制御システム及び監視制御装置の構成について述べたが、図１のＳＮＭＰマネージャ２は、当業者にとってよく知られており、また本発明とは直接関係しないので、その詳細な構成は省略する。
【００３２】
次に、本実施形態の監視制御装置の動作を図２に示す。なお、本監視制御装置は、プログラムの制御により以下の処理動作（監視制御方法）を実行する。
【００３３】
図２のステップＳ１において、例えば、図１に示す被監視装置であるＢ装置７でアラームが発生したとする。Ａ装置８及びＢ装置７はアラームが発生した場合、アラーム信号を外部に自動送出する機能を有している。自動送出されるアラーム信号は、発生したアラーム名を示すテキストメッセージと、アラームの重要性により、「Major」、「Minor」、「Warning」等にカテゴリ分けされたカテゴリ情報と、を含む。
【００３４】
図２のステップＳ２において、アラームが発生したＢ装置７が、ＳＮＭＰアラーム信号を送出可能な場合は（ステップＳ２／ＹＥＳ）、ＳＮＭＰアラーム信号を、ＬＡＮ９を介してＳＮＭＰソフトウェアポート変換機能１７へ送る。アラームが発生したＢ装置７が、ＳＮＭＰアラーム信号を送出できない場合は（ステップＳ２／ＮＯ）、ＳＮＭＰメディエータタスクにアラーム信号を送る。
【００３５】
図２のステップＳ３において、Ｂ装置７からアラーム信号を受信したＳＮＭＰメディエータ３は、そのアラーム信号をＳＮＭＰアラーム信号に変換し、変換したＳＮＭＰアラーム信号をＳＮＭＰソフトウェアポート変換機能１７に送る。
【００３６】
図２のステップＳ４において、ＳＮＭＰソフトウェアポート変換機能１７は、受信したＳＮＭＰアラーム信号の宛先がＳＮＭＰマネージャ２の受信可能なソフトウェアポートになっているかを確認する。確認の結果、宛先のソフトウェアポートが受信可能である場合は、その宛先のソフトウェアポートにＳＮＭＰアラーム信号を送信する。一方、確認の結果、宛先のソフトウェアポートが他の装置に占有されて受信が不可能な場合は、ＳＮＭＰアラーム信号を受信可能な空ポートを決定し、その空ポートを使用してＳＮＭＰアラーム信号をＳＮＭＰマネージャ２に送る。
【００３７】
図２のステップＳ５において、ステップＳ４にて送信されたＳＮＭＰアラーム信号は、ＳＮＭＰマネージャ２で受信される。ＳＮＭＰマネージャ２は、受信したＳＮＭＰアラーム信号（発生したアラーム名を示すテキストメッセージ、及び、発生したアラームのカテゴリを示すカテゴリ情報）に基づいて、監視制御装置１の画面上に表示を行う。この画面表示において、ＳＮＭＰマネージャ２は、発生したアラームのアラーム名をテキストで表示するとともに、監視制御装置１の画面上にＢ装置７をアイコンで示し、各装置の接続関係を示すネットワーク図を表示し、発生したアラームのカテゴリにより、該当装置（ここではＢ装置７）のアイコンの色を、赤Majorアラーム、ピンクMinorアラーム、黄色Warning等に変化させて表示する。ステップＳ４の段階では、監視制御装置１の運用者は、画面に自動表示されたアラームのカテゴリ及びアラーム名のみを認知できる。
【００３８】
図２のステップＳ６において、監視制御装置１の運用者は、発生したアラームの詳細を調査する為に、例えば、画面上に表示されたＢ装置７のアイコンをクリックする等、調査対象となるＢ装置７を指定する操作を行う。この操作をアプリケーション起動機能６が検知すると、アラームが発生したＢ装置用のローカルクラフトターミナル４を起動するとともに、ＬＡＮ９経由で、ＩＰアドレス等を用いて、調査対象のＢ装置７にログインする。
【００３９】
図２のステップＳ８において、監視制御装置１の運用者は、ＬＡＮ９経由でＢ装置にログインしたＢ装置用ローカルクラフトターミナル４によって、発生したアラームについての詳細を示すアラーム情報の入手、Ｂ装置７の監視制御、運用作業、Ｂ装置７の設定変更作業等を実施可能である。なお、本タスクで実施可能な装置監視制御、運用、設定変更等の作業は、図３に示す従来例のように、単体のローカルクラフトターミナルを装置設置現場において、ケーブルで接続して実施できる項目と完全に同一であり、操作項目上の制限はなく、装置仕様必要な全ての操作が実施可能である。
【００４０】
図２のステップＳ９において、監視制御装置１で受信したアラーム情報、監視制御装置１の動作データ、操作データ等を監視制御装置１の記憶手段にデータ蓄積する。
【００４１】
なお、監視制御装置１の運用者は、アラーム発生時の調査以外の場合、例えば、装置の監視制御、運用、設定の変更等の作業が必要な場合でも、図２のステップＳ７において、所定の被監視装置を指定する操作を行うと、アプリケーション起動機能６が、指定された被監視装置のローカルクラフトターミナルを起動し、起動されたローカルクラフトターミナルにより、ＬＡＮ９経由で、ＩＰアドレス等を用いて該当する被監視装置にログインすることができる。
【００４２】
このように、上記実施形態では、複数種類の被監視装置用のローカルクラフトターミナルを有しているので、複数種類の被監視装置の監視制御、運用、設定等が可能であり、ローカルクラフトターミナルの種類を更に増やすことで、監視する装置の種類を増やすことが可能である。
さらには、本実施形態では、ＳＮＭＰメディエータを備えているので、ＳＮＭＰアラーム信号を送信できない被監視装置の監視制御もできる。
【００４３】
以上説明したように、本実施形態によれば、以下の効果を奏する。
第１の効果は、遠隔地の被監視装置のアラームを自動表示できることである。その理由は、ＳＮＭＰマネージャを有しており、ＬＡＮ経由で被監視装置と接続されるからである。
【００４４】
第２の効果は、被監視装置がＳＮＭＰアラーム信号を送出できなくても、装置アラームの監視ができることである。その理由は、ＳＮＭＰメディエータを備えることにより、被監視装置が送出するアラーム信号をＳＮＭＰアラーム信号に変換し、ＳＮＭＰマネージャに送るからである。
【００４５】
第３の効果は、目的の被監視装置に遠隔地からログインできることである。その理由は、アプリケーション起動機能を備えることにより、該当のローカルクラフトターミナルを起動でき、被監視装置のＩＰアドレス等を使用し、ＬＡＮ経由で、被監視装置にログインできるためである。
【００４６】
第４の効果は、被監視装置の必要な全ての監視制御、運用、設定等が遠隔地から実施可能なことである。その理由は、被監視装置用のローカルクラフトターミナルを有しており、ＬＡＮ経由で被監視装置にログインできるからである。
【００４７】
第５の効果は、被監視装置の最新のアラーム情報を、常に監視制御装置で表示可能なことである。その理由は、ＳＮＭＰソフトウェアポート変換機能により、監視制御装置が、被監視装置の最新のアラーム情報を受信し続けることができ（ＳＮＭＰマネージャの保有する情報が、常に最新のＳＮＭＰトラップにより更新され続けることができ）、監視制御装置は、常に最新のアラーム情報を表示することができるからである。
【００４８】
以上、本発明の実施形態について説明したが、上記各実施形態の記載に限定されるものではなく、その要旨を逸脱しない範囲において種々の変形が可能である。
【産業上の利用可能性】
【００４９】
本発明は、遠隔地の装置を監視・運用・設置する制御に適用できる。
【図面の簡単な説明】
【００５０】
【図１】本発明の実施形態である監視制御システム及び監視制御装置の構成を示すブロック図である。
【図２】本発明の実施形態である監視制御装置の動作を示すフローチャートである。
【図３】従来の監視制御システムにおいて、ケーブル接続の構成の一例を示す図である。
【図４】従来の監視制御システムにおいて、ＳＮＭＰマネージャのみを使用した構成の一例を示す図である。
【符号の説明】
【００５１】
１    監視制御装置
２、２１    ＳＮＭＰマネージャ
３    ＳＮＭＰメディエータ
４、１４    Ｂ装置用ローカルクラフトターミナル
５、１２    Ａ装置用ローカルクラフトターミナル
６    アプリケーション起動機能
７、１３    被監視装置Ｂ
８、１０、２２    被監視装置Ａ
９、２４    ＬＡＮ
１５、１６  ケーブル
１７    ＳＮＭＰソフトウェアポート変換機能
２３    被監視装置
【図１】
2008269092.tif 000003
【図２】
2008269092.tif 000004
【図３】
2008269092.tif 000005
【図４】
2008269092.tif 000006